(57)【要約】【課題】本発明は、搬送機構にプリント用紙が紙詰まりした時に、簡単な操作で、且つ安全に紙詰まりしたプリント用紙を排出できるプリンタを提供することを目的とする。【解決手段】本発明に係るプリンタは、印刷されたプリント用紙２７を排紙口１へ排出する搬送機構１０と、搬送機構１０を駆動する駆動部（搬送駆動モーター１４）と、駆動部（搬送駆動モーター１４）とは別に、プリント用紙２７が搬送機構１０において紙詰まりを起こした場合に、搬送機構１０を駆動してプリント用紙２７を排紙口１へ排出する排紙ダイヤル２４とを備える。そして、本発明に係るプリンタは、排紙ダイヤル２４は、筐体外部から手動操作可能な位置に取り付けられている。【選択図】図２
2009073634.tif 000002
【特許請求の範囲】
【請求項１】
印刷されたプリント用紙を排紙口へ排出する搬送機構と、
前記搬送機構を駆動する駆動部と、
前記駆動部とは別に、前記プリント用紙が前記搬送機構において紙詰まりを起こした場合に、前記搬送機構を駆動して前記プリント用紙を前記排紙口へ排出する排紙ダイヤルとを備え、
前記排紙ダイヤルは、筐体外部から手動操作可能な位置に取り付けられていることを特徴とするプリンタ。
【請求項２】
請求項１に記載のプリンタであって、
前記搬送機構は、
前記駆動部の駆動トルクがギア及びプーリーベルトを介して伝えられる第１及び第２プーリーと、
前記第１プーリーに直結し、前記第１プーリーに伝達された前記駆動トルクにより回転する第１駆動シャフトローラーと、
前記第１駆動シャフトローラーとの摩擦力により前記プリント用紙を搬送する排紙シャフトローラーと、
前記第２プーリーに直結し、前記第２プーリーに伝達された前記駆動トルクにより回転する第２駆動シャフトローラーとを備え、
前記第１駆動シャフトローラー及び前記排紙シャフトローラーにより搬送された前記プリント用紙を前記第２駆動シャフトローラーとの摩擦力により前記排紙口へと排出することを特徴とするプリンタ。
【請求項３】
請求項２に記載のプリンタであって、
前記第２駆動シャフトローラーは、前記第２プーリーを設けた側と反対側に排紙ギアを備え、
前記排紙ダイヤルは、前記排紙ギアを回転させることで、前記第１及び前記第２駆動シャフトローラーを駆動して紙詰まりの前記プリント用紙を排出することを特徴とするプリンタ。
【請求項４】
請求項３に記載のプリンタであって、
前記排紙ダイヤルは、前記排紙ギアとの間にギアアイドラーを備え、
所定の力を前記排紙ダイヤルに加えることで前記第１及び前記第２駆動シャフトローラーを駆動できるように、前記排紙ダイヤル、前記排紙ギア及び前記ギアアイドラーのギア比を設定することを特徴とするプリンタ。
【請求項５】
請求項１乃至請求項４のいずれか１つに記載のプリンタであって、
前記排紙ダイヤルは、前記筐体の前部に設けられていることを特徴とするプリンタ。
【請求項６】
請求項１乃至請求項５のいずれか１つに記載のプリンタであって、
前記筐体は、前記排紙ダイヤルを覆うカバー部を備え、
前記カバー部は、前記筐体に装着された給紙トレーが取り外されている場合に限り開くことができ、前記排紙ダイヤルを操作することが可能となることを特徴とするプリンタ。
【発明の詳細な説明】
【技術分野】
【０００１】
本発明は、プリンタに係る発明であって、特に、紙詰まりしたプリンタ用紙を排出可能なプリンタに関するものである。
【背景技術】
【０００２】
プリンタは、給紙トレーから給紙されたプリンタ用紙に所望の画像を印刷し、印刷したプリンタ用紙を搬送機構により排紙口へ排出する。しかし、プリンタは、種々の理由で排紙口から排出される過程の搬送機構においてプリンタ用紙の紙詰まりが生じる場合があった。排紙口からプリント用紙の一部が出る状態で紙詰まりした場合は、ユーザが当該部分を引っ張ることで容易に紙詰まりを除去できる。
【０００３】
一方、プリント用紙がプリンタ内部で停止し、排紙口からプリント用紙が見えない場合、従来のプリンタでは、筐体のトップパネルを外して手動で駆動系を動かしてプリント用紙を排紙口へ強制除去しなければならなかった。また、特許文献１に記載のプリンタでは、排紙路の途中に蓋を設け、紙詰まりが生じた場合、当該蓋を外して駆動系の近くに手を入れてプリント用紙を除去しなければならなかった。
【０００４】
【特許文献１】特開２００５−９６９９９号公報
【発明の開示】
【発明が解決しようとする課題】
【０００５】
しかし、従来のプリンタでは、排紙口からプリント用紙が見えない状態で紙詰まりした場合、筐体のトップパネルを外して、搬送機構のプーリーを直接手動で回転させて、プリント用紙を強制排紙する必要があるため、紙詰まりしたプリント用紙を除去するのに非常に手間がかかっていた。さらに、紙詰まりが生じた場合、搬送機構の駆動系近傍にユーザの手を挿入する必要があるため、安全上の問題や無理に力を加えて搬送機構の駆動系の部品にダメージを与える問題があった。また、業務用に用いられるプリンタでは、設置場所が固定されており、プリンタ自体を移動させて上記作業を実施することが困難な場合もあった。
【０００６】
そこで、本発明は、搬送機構にプリント用紙が紙詰まりした時に、簡単な操作で、且つ安全に紙詰まりしたプリント用紙を排出できるプリンタを提供することを目的とする。
【課題を解決するための手段】
【０００７】
本発明に係る解決手段は、印刷されたプリント用紙を排紙口へ排出する搬送機構と、搬送機構を駆動する駆動部と、駆動部とは別に、プリント用紙が搬送機構において紙詰まりを起こした場合に、搬送機構を駆動してプリント用紙を排紙口へ排出する排紙ダイヤルとを備え、排紙ダイヤルは、筐体外部から手動操作可能な位置に取り付けられている。
【発明の効果】
【０００８】
本発明に記載のプリンタは、搬送機構を駆動して紙詰まりしたプリント用紙を排紙口へ排出する排紙ダイヤルを筐体外部から手動操作可能な位置に取り付けているので、ユーザが排紙ダイヤルにアクセスしやすく、当該排紙ダイヤルを適切な力で回すことで、紙詰まりしたプリント用紙を容易に、且つ安全に除去することができ、機構部品にもダメージを与えない効果を有している。
【発明を実施するための最良の形態】
【０００９】
本実施の形態に係るプリンタの構成を説明する前に、前提となるプリンタの構成を説明する。図９に前提となるプリンタの斜視図、図１０に前提となるプリンタの側面図をそれぞれ示す。図９に示すプリンタでは、筐体の正面（プリンタフロント部１００）に排紙口１０１が設けられ、且つ筐体のトップパネル１０２を外すことができるように構成されている。また、図１０には、プリンタ用紙１０３を排紙口１０１に排紙させる搬送機構１１０が設けられている構成が図示されている。
【００１０】
さらに、搬送機構１１０について詳しく説明するために、図１１に搬送機構１１０の斜視図、図１２に搬送機構１１０の側面図をそれぞれ示す。図１１に示すように搬送機構１１０は、搬送駆動モーター１１１の動力がギア１１２を介してプーリーギア１１３に伝達され、プーリーベルト１１４を介してプーリー１１５を回転させる。図１１に示すプーリー１１５が回転することで、当該プーリー１１５に直結した駆動シャフトローラー１１６を駆動する。なお、図１２には、上記のギア１１２、プーリーギア１１３、プーリーベルト１１４、プーリー１１５のそれぞれ回転方向が矢印で図示されている。
【００１１】
そして、図１２では、駆動シャフトローラー１１６と排紙シャフトローラー１１７との摩擦力により、プリンタ用紙１０３が排紙ローラー１１８，１１９の方向に搬送されている様子が図示されている。さらに、図１２では、この排紙ローラー１１８，１１９が矢印のように回転して、プリンタ用紙１０３を排紙方向に排出する。なお、図１１及び図１２に示す搬送機構１１０において紙詰まりが生じた場合、搬送駆動モーター１１１から伝達された駆動トルクが不足し、プリント用紙１０３が筐体内部で停止することになる。そのため、図９に示すプリンタでは、「発明が解決しようとする課題」の欄に記載した方法を用いて紙詰まりのプリンタ用紙を除去する必要がある。
【００１２】
しかし、本発明に係るプリンタでは、ユーザが筐体の外郭を外して手動で搬送機構の駆動系を動かして紙詰まりしたプリント用紙を除去する必要がなく、排紙路の途中の蓋を外して、メカ内部に手を入れて紙詰まりしたプリント用紙を除去する必要もない。本発明に係るプリンタは、プリンタフロント部１００に設けた排紙ダイヤルを回すことで、当該排紙ダイヤルに連結した搬送機構の駆動系を駆動させて、紙詰まりしたプリント用紙を除去する。以下に、本発明に係るプリンタの具体的な形態について説明する。
【００１３】
（実施の形態）
図１に本実施の形態に係るプリンタの斜視図を、図２に本実施の形態に係るプリンタの側面図をそれぞれに示す。まず、図１に示すプリンタは、筐体の正面（プリンタフロント部１２）に排紙口１が設けられ、且つ当該排紙口１の下部に給紙トレー１３が設けられた構成である。また、図２に示すように、本実施の形態に係るプリンタは、搬送機構１０の排紙ギア２２がギアアイドラー２３を介して排紙ダイヤル２４と噛み合わされている。そして、図２に示すダイヤルドア２５を開くと、排紙ダイヤル２４の一部がプリンタフロント部１２から出ており、ユーザが当該排紙ダイヤル２４を容易に回すことができる。そのため、図２に示すプリンタは、搬送機構１０を駆動でき、紙詰まりしたプリント用紙を排出できる。
【００１４】
次に、本実施の形態に係る搬送機構１０について、詳しく説明する。まず、図３に本実施の形態に係る搬送機構１０の斜視図を、図４に本実施の形態に係る搬送機構１０の左側面図を、図５に本実施の形態に係る搬送機構１０の正面図を、図６に本実施の形態に係る搬送機構１０の右側面図をそれぞれ示す。
【００１５】
本実施の形態に係る搬送機構１０での正常な排紙駆動は、搬送駆動モーター１４の駆動トルクがギア１５及びプーリーベルト１６を介して図４の矢印に示すようにプーリー１７及びプーリー１９を回転させる。プーリー１９に伝達されたトルクは、プーリー１９に直結した駆動シャフトローラー２０を駆動し、駆動シャフトローラー２０と排紙シャフトローラー２１との摩擦力によりプリント用紙２７を駆動シャフトローラー１８の方向へ搬送する。
【００１６】
また、プーリー１７に伝達されたトルクも同様に、プーリー１７に直結した駆動シャフトローラー１８を駆動し、駆動シャフトローラー１８の摩擦力によりプリント用紙２７を図４に示す排紙方向へ排出する。そして、図４に示す排紙方向の先には図１に示す排紙口１があり、当該排紙口１より排出されたプリント用紙２７は、図１に示す給紙トレイ１３の上にスタックされる。
【００１７】
さらに、本実施の形態に係る搬送機構１０では、上述した正常な排紙駆動の機構に加えて、図８に示すように搬送駆動モーター１４で駆動するプーリー１７の反対側に駆動シャフトローラー１８に直結した排紙ギア２２を備えている。この排紙ギア２２に対して、ギアアイドラー２３及び排紙ダイヤル２４が図８に示すように噛み合わされている。そのため、排紙ダイヤル２４を回転させることで、ギアアイドラー２３及び排紙ギア２２が回転し、駆動シャフトローラー１８を駆動することになる。
【００１８】
駆動シャフトローラー１８が駆動されると、当該駆動シャフトローラー１８に直結したプーリー１７が回転し、プーリーベルト１６を介してプーリー１９も回転する。プーリー１９が回転することで、駆動シャフトローラー２０が駆動される。つまり、図６に示すように排紙ダイヤル２４を矢印の方向に回転させると、ギアアイドラー２３及び排紙ギア２２が矢印の方向に回転し、駆動シャフトローラー２０及び排紙シャフトローラー２１が矢印の方向に駆動される。
【００１９】
また、排紙ギア２２、ギアアイドラー２３及び排紙ダイヤル２４は、図２のようにプリンタ本体正面（プリンタフロント部１２）に向かって配列されているので、プリント用紙２７の紙詰まりが発生して、排紙ダイヤル２４を回転させる場合にもユーザが容易にアクセスできる。特に、図１に示すプリンタでは、排紙ギア２２、ギアアイドラー２３及び排紙ダイヤル２４が格納できるように、プリンタフロント部１２が前に突出したデザインとなっている。
【００２０】
なお、排紙ダイヤル２４は、正常にプリント用紙２７を排紙している時も、搬送駆動モーター１４からトルク伝達により回転しており、ユーザが不用意に回転中の排紙ダイヤル２４にアクセスすれば挟まれたりや巻き込まれたりすることが想定される。そのため、本実施の形態に係るプリンタでは、図７に示すようにプリンタフロント部１２の排紙ダイヤル２４の配置部にダイヤルドア２５が設けられている。そして、ユーザが排紙ダイヤル２４を使用する際には、ダイヤルドア２５を図８のように開く。また、排紙ダイヤル２４にユーザの指が挟まれないように、排紙ダイヤル２４には、図８のようなダイヤルカバー２６が設けられている。
【００２１】
次に、本実施の形態に係るプリンタにおいて、プリンタ用紙２７の紙詰まりが発生した場合の動作について説明する。まず、紙詰まりが発生した場合、ユーザはプリンタの電源を切って、搬送駆動モーター１４の励磁を切り、プリンタに装着されている給紙トレイ１３を取り外す。なお、本実施の形態に係るプリンタでは、正常時にダイヤルドア２５が開くことがないように、給紙トレイ１３を取り外さなければダイヤルドア２５が開かない物理的なインターロック構造を採用している。また、本実施の形態に係るプリンタでは、仮にユーザがプリンタ電源を切り忘れたとしても、給紙トレイ１３を取り外すことで搬送駆動モーター１４が停止する電気的にも安全な設計を採用している。
【００２２】
次に、ダイヤルドア２５を開けて、ユーザが排紙ダイヤル２４を指で回転させることで生じる手動トルクがギアアイドラー２３を介して排紙ギア２２を回転させ、排紙ギア２２に直結した駆動シャフトローラー１８を介してプーリー１７を回転させる。さらに、プーリー１７の回転はプーリーベルト１６を介してプーリー１９に伝達され、当該プーリー１９に直結した駆動シャフトローラー２０を駆動する。紙詰まりしたプリント用紙２７は、駆動シャフトローラー２０が駆動することで、駆動シャフトローラー２０と排紙シャフトローラー２１との摩擦力により排紙口１から排出される。
【００２３】
以上のように、本実施の形態に係るプリンタは、印画動作不良により搬送駆動モーター１４のトルクでは自動排紙できなくなった紙詰まりプリント用紙２７を、トルク排紙ギア２４を回転することで容易に排出することができる。なお、ユーザが適切な力でトルク排紙ギア２４を回すことができるように、トルク排紙ギア２４、ギアアイドラー２３及び排紙ギア２２のギア比の設定する。
【図面の簡単な説明】
【００２４】
【図１】本発明の実施の形態に係るプリンタの斜視図である。
【図２】本発明の実施の形態に係るプリンタの側面図である。
【図３】本発明の実施の形態に係る搬送機構の斜視図である。
【図４】本発明の実施の形態に係る搬送機構の左側面図である。
【図５】本発明の実施の形態に係る搬送機構の正面図である。
【図６】本発明の実施の形態に係る搬送機構の右側面図である。
【図７】本発明の実施の形態に係るダイヤルドアを説明するための図である。
【図８】本発明の実施の形態に係るダイヤルドアを説明するための図である。
【図９】本発明の前提となるプリンタの斜視図である。
【図１０】本発明の前提となるプリンタの側面図である。
【図１１】本発明の前提となる搬送機構の斜視図である。
【図１２】本発明の前提となる搬送機構の側面図である。
【符号の説明】
【００２５】
１，１０１  排紙口、１０，１１０  搬送機構、１２，１００  プリンタフロント部、１３  給紙トレイ、１４，１１１  搬送駆動モーター、１５，１１２  ギア、１６，１１４  プーリーベルト、１７，１９，１１５  プーリー、１８，２０，１１６  駆動シャフトローラー、２１，１１７  排紙シャフトローラー、２２  排紙ギア、２３  ギアアイドラー、２４  排紙ダイヤル、２５  ダイヤルドア、２６  ダイヤルカバー、２７，１０３  プリンタ用紙、１０２  トップパネル、１１３  プーリーギア、１１８，１１９  排紙ローラー。
【図１】
2009073634.tif 000003
【図２】
2009073634.tif 000004
【図３】
2009073634.tif 000005
【図４】
2009073634.tif 000006
【図５】
2009073634.tif 000007
【図６】
2009073634.tif 000008
【図７】
2009073634.tif 000009
【図８】
2009073634.tif 000010
【図９】
2009073634.tif 000011
【図１０】
2009073634.tif 000012
【図１１】
2009073634.tif 000013
【図１２】
2009073634.tif 000014